(57)【特許請求の範囲】
【請求項１】
表示部と、
この表示部の表示画面と一体にして設けられ、操作子の接近位置および接触位置を検出する位置検出手段と、
この位置検出手段により前記操作子の接近位置が検出された際に、当該検出された接近位置を基準に、前記表示部の表示画面に手書き入力のためのガイド図を表示させるガイド図表示手段と、
このガイド図表示手段によりガイド図が表示された状態で、前記位置検出手段により前記操作子の接触位置が検出された際に、当該検出された接触位置の軌跡を前記表示部の表示画面に表示させる手書き位置表示手段と、
前記手書き位置表示手段により表示された前記操作子の接触位置の軌跡を文字として認識する文字認識手段と、
この文字認識手段により認識された文字の文字種に応じて前記ガイド図表示手段により表示されたガイド図を新たなガイド図に切り替えて表示させるガイド図切り替え表示手段と、
を備えたことを特徴とする手書き入力装置。
【請求項２】
前記表示部の表示画面に表示されたガイド図の領域に前記手書き位置表示手段により前記操作子の接触位置の軌跡が表示されるのに応じて、当該ガイド図の表示位置に続けて同じガイド図を追加して表示させるガイド図追加表示手段を備えたことを特徴とする請求項１に記載の手書き入力装置。
【請求項３】
前記ガイド図表示手段は、先頭２文字分の横書き用ガイド図と縦書き用ガイド図とを組み合わせたガイド図を表示させ、
前記横書き用ガイド図の２文字目の領域に前記手書き位置表示手段により前記操作子の接触位置の軌跡が表示された場合は、前記縦書き用ガイド図の表示を消去させ、前記縦書き用ガイド図の２文字目の領域に前記手書き位置表示手段により前記操作子の接触位置の軌跡が表示された場合は、前記横書き用ガイド図の表示を消去させるガイド図選択手段を備えたことを特徴とする請求項１または請求項２に記載の手書き入力装置。
【請求項４】
手書き入力が終了した際に、前記ガイド図を消去するガイド図消去手段を備えたことを特徴とする請求項１ないし請求項３の何れか１項に記載の手書き入力装置。
【請求項５】
先頭２文字分の横書き用ガイド図と縦書き用ガイド図とを組み合わせたガイド図を表示させるガイド図表示手段と、
前記横書き用ガイド図の２文字目の領域に操作子の接触位置の軌跡が表示された場合は、前記縦書き用ガイド図の表示を消去させ、前記縦書き用ガイド図の２文字目の領域に前記操作子の接触位置の軌跡が表示された場合は、前記横書き用ガイド図の表示を消去させるガイド図選択手段と、
を備えたことを特徴とする手書き入力装置。
【請求項６】
表示部と、この表示部の表示画面と一体にして設けられ、操作子の接近位置および接触位置を検出する位置検出手段とを備えた電子機器のコンピュータを制御するためのプログラムであって、
前記コンピュータを、
前記位置検出手段により前記操作子の接近位置が検出された際に、当該検出された接近位置を基準に、前記表示部の表示画面に手書き入力のためのガイド図を表示させるガイド
図表示手段、
このガイド図表示手段によりガイド図が表示された状態で、前記位置検出手段により前記操作子の接触位置が検出された際に、当該検出された接触位置の軌跡を前記表示部の表示画面に表示させる手書き位置表示手段、
前記手書き位置表示手段により表示された前記操作子の接触位置の軌跡を文字として認識する文字認識手段、
この文字認識手段により認識された文字の文字種に応じて前記ガイド図表示手段により表示されたガイド図を新たなガイド図に切り替えて表示させるガイド図切り替え表示手段、
として機能させるためのプログラム。
【請求項７】
表示部と、この表示部の表示画面と一体にして設けられ、操作子の接近位置および接触位置を検出する位置検出手段とを備えた電子機器のコンピュータを制御するためのプログラムであって、
前記コンピュータを、
先頭２文字分の横書き用ガイド図と縦書き用ガイド図とを組み合わせたガイド図を表示させるガイド図表示手段、
前記横書き用ガイド図の２文字目の領域に前記操作子の接触位置の軌跡が表示された場合は、前記縦書き用ガイド図の表示を消去させ、前記縦書き用ガイド図の２文字目の領域に前記操作子の接触位置の軌跡が表示された場合は、前記横書き用ガイド図の表示を消去させるガイド図選択手段、
として機能させるためのプログラム。
【発明の詳細な説明】
【技術分野】
【０００１】
本発明は、手書きによる文字や図形を入力するための手書き入力装置およびその制御プログラムに関する。
【背景技術】
【０００２】
近年、ＰＤＡ(personal digital assistant)、ＰＣ(personal computer)、携帯電話、電子辞書、携帯ゲーム機などの情報端末では、タブレットやタッチパネル式の表示部を備え、手書きにより文字や図形を入力できるものが広く実用されている。
【０００３】
このような情報端末の表示部では、当然ながら種々の機能に応じた表示がなされるため、例えば手書きで文字を入力するための目印を固定的に表示させることはできない。このため、手書きで入力した文字列の並びや各文字サイズがばらばらになり易く、なかなか上手く描けない問題がある。
【０００４】
そこで、手書きでの入力に際し、タブレットやタッチパネルに対する最初のタッチ位置を検出し、この最初のタッチ位置から所定の方向，距離だけ離れた位置を原点に文字入力用の仮想枠を定義付けてガイドすることで、手書きの文字をきれいに並べて入力し易くする機能を備えた手書き文字入力装置が考えられている（例えば、特許文献１参照。）
【先行技術文献】
【特許文献】
【０００５】
【特許文献１】特開平０９−０９１３７７号公報
【発明の概要】
【発明が解決しようとする課題】
【０００６】
従来の手書き文字入力装置では、タブレットやタッチパネルに対する最初のタッチ位置を検出し、ここを１文字目として手書きして行くための仮想枠をガイドできるものの、実際にタッチするまではガイドされない。このため、タッチする以前に書き始める位置を確認することはできず、きれいに手書き入力するための操作性に欠ける問題がある。
【０００７】
本発明は、このような課題に鑑みなされたもので、実際に手書き入力を開始するときから、ユーザによる書き込み位置を適切にガイドすることが可能になる手書き入力装置およびその制御プログラムを提供することを目的とする。
【課題を解決するための手段】
【０００８】
本発明に係る手書き入力装置は、表示部と、この表示部の表示画面と一体にして設けられ、操作子の接近位置および接触位置を検出する位置検出手段と、この位置検出手段により前記操作子の接近位置が検出された際に、当該検出された接近位置を基準に、前記表示部の表示画面に手書き入力のためのガイド図を表示させるガイド図表示手段と、このガイド図表示手段によりガイド図が表示された状態で、前記位置検出手段により前記操作子の接触位置が検出された際に、当該検出された接触位置の軌跡を前記表示部の表示画面に表示させる手書き位置表示手段と、前記手書き位置表示手段により表示された前記操作子の接触位置の軌跡を文字として認識する文字認識手段と、この文字認識手段により認識された文字の文字種に応じて前記ガイド図表示手段により表示されたガイド図を新たなガイド図に切り替えて表示させるガイド図切り替え表示手段と、を備えたことを特徴としている。
【０００９】
本発明に係る手書き入力装置は、先頭２文字分の横書き用ガイド図と縦書き用ガイド図とを組み合わせたガイド図を表示させるガイド図表示手段と、前記横書き用ガイド図の２文字目の領域に操作子の接触位置の軌跡が表示された場合は、前記縦書き用ガイド図の表示を消去させ、前記縦書き用ガイド図の２文字目の領域に前記操作子の接触位置の軌跡が表示された場合は、前記横書き用ガイド図の表示を消去させるガイド図選択手段と、を備えたことを特徴としている。
【発明の効果】
【００１０】
本発明によれば、実際に手書き入力を開始するときから、ユーザによる書き込み位置を適切にガイドすることが可能になる手書き入力装置およびその制御プログラムを提供できる。
【図面の簡単な説明】
【００１１】
【図１】本発明の手書き入力装置の実施形態に係るタブレット型情報端末装置１０の外観構成を示す正面図。
【図２】前記情報端末装置１０の電子回路の構成を示すブロック図。
【図３】前記情報端末装置１０の記憶装置２２に記憶されるガイド図データベース２２ｄの内容を示す図。
【図４】前記情報端末装置１０の手書きの入力操作に応じた第１実施形態のガイド表示処理に伴う表示動作を示す図。
【図５】前記情報端末装置１０の手書きの入力操作に応じた第１実施形態のガイド表示処理を示すフローチャート。
【図６】前記情報端末装置１０の手書きの入力操作に応じた第２実施形態のガイド表示処理を示すフローチャート。
【図７】前記情報端末装置１０の手書きの入力操作に応じた第２実施形態のガイド表示処理に伴う表示動作を示す図。
【図８】前記情報端末装置１０の手書きの入力操作に応じた第３実施形態のガイド表示処理に伴う表示動作を示す図。
【図９】前記情報端末装置１０の手書きの入力操作に応じた第４実施形態のガイド表示処理に伴う表示動作を示す図。
【発明を実施するための形態】
【００１２】
以下図面により本発明の実施の形態について説明する。
【００１３】
図１は、本発明の手書き入力装置の実施形態に係るタブレット型情報端末装置１０の外観構成を示す正面図である。
【００１４】
この情報端末装置１０は、例えば１２インチのタブレット表示部１１を備える。このタブレット表示部１１は、ドットマトリクス型のカラー液晶表示画面１１ｄとタブレット１１ｔを重ねて構成する。このタブレット１１ｔには、例えば電磁誘導型のものが使用され、先端に誘導コイルを内蔵したペンＰによる表示画面への接近位置と接触位置が、何れも当該表示画面の座標として検出される。
【００１５】
この情報端末装置１０は、電源を投入／遮断するための電源キーの操作以外は、タブレット表示部１１に表示された各種のデータに対するタッチ操作に従って動作し、手書きされた文字や図形を認識して入力する機能も有する。
【００１６】
図２は、前記情報端末装置１０の電子回路の構成を示すブロック図である。
【００１７】
この情報端末装置１０の電子回路には、コンピュータであるＣＰＵ２１が備えられる。ＣＰＵ２１は、記憶装置２２に予め記憶された端末制御プログラム、あるいはメモリカードなどの外部記録媒体２３から記録媒体読み取り部２４を介して記憶装置２２に読み込まれた端末制御プログラム、あるいは通信ネットワーク上のＷｅｂサーバから通信部２５を介して記憶装置２２に読み込まれた端末制御プログラムに従い、同記憶装置２２およびＲＡＭ２６をワークメモリとして回路各部の動作を制御する。
【００１８】
前記記憶装置２２に記憶される端末制御プログラムとしては、通信部２５を介して外部のＰＣやＷｅｂサーバ等の通信機能を備えた電子機器と通信するための通信制御プログラム、テキスト処理，テーブル処理，画像／音声再生処理，メール処理，演算処理等を行うための各種のアプリケーションプログラムを含む制御プログラム２２ａの他、タブレット表示部１１に対する手書きの入力に際してその書き込み位置をガイドするためのガイド表示プログラム２２ｂ、前記手書き入力された各種の文字や図形を認識するための文字認識プログラム２２ｃが記憶される。
【００１９】
そして、前記記憶装置２２には、前記ガイド表示プログラム２２ｂの実行に伴い使用されるガイド図データベース２２ｄが記憶される。
【００２０】
図３は、前記情報端末装置１０の記憶装置２２に記憶されるガイド図データベース２２ｄの内容を示す図である。
【００２１】
このガイド図データベース２２ｄには、前記タブレット表示部１１に対する手書き入力の書き込み位置をガイドするためのガイド図データが記憶されるもので、具体的には、入力される文字や図形の種類に応じた各種のガイド図Ｇ001（ひらがな，カタカナ，漢字用の升目），Ｇ002（英字用アンダーライン），…がその大きさ［Ｘ＝○○○，Ｙ＝△△△］、基準座標（Ｘ，Ｙ）、対応文字種と共に記憶される。
【００２２】
ここで、前記ガイド図Ｇnの大きさ［Ｘ＝○○○，Ｙ＝△△△］は、表示画面領域での展開に要する座標範囲を示し、基準座標（Ｘ，Ｙ）は、該当するガイド図の範囲（大きさ）の左上の座標を原点として予め設定された最適な書き込み開始位置を示す。
【００２３】
前記ＲＡＭ２６には、各種作業用の記憶領域として、表示データメモリ２６ａ、入力座標データメモリ２６ｂなどが確保される。
【００２４】
表示データメモリ２６ａは、タブレット表示部１１の表示画面領域に対応するカラービットマップデータの記憶領域を有し、このメモリ２６ａには、実行中のプログラムに従い生成された表示画面データが記憶される。
【００２５】
入力座標データメモリ２６ｂには、前記タブレット表示部１１に対するユーザによる手書きの入力に伴い、当該表示部１１のタブレット１１ｔにより検出される前記ペンＰの接近位置や接触位置の座標が記憶される。
【００２６】
このように、ＣＰＵ２１には、記憶装置２２、記録媒体読み取り部２４、通信部２５、ＲＡＭ２６、キー入力部２７、およびタブレット表示部１１が接続されて構成される。
【００２７】
そして、この情報端末装置１０は、タブレット表示部１１に対するユーザ操作に応じた手書きの入力に際して、同タブレット表示部１１にペンＰが接近すると、タブレット１１ｔにて検出されるペンＰの接近位置の座標（ｘ１，ｙ１）に前記ガイド図データベース２２ｄに記憶されるガイド図Ｇnの基準座標（Ｘ，Ｙ）が一致するように同ガイド図Ｇnを表示し、ユーザによる手書きの入力位置をガイドする機能を有する。
【００２８】
このように構成された情報端末装置１０は、ＣＰＵ２１が前記端末制御プログラム２２ａ，２２ｂ，２２ｃに記述された命令に従い回路各部の動作を制御し、ソフトウエアとハードウエアとが協働して動作することにより、以下の動作説明で述べる手書き入力処理に伴うガイド表示機能を実現する。
【００２９】
次に、前記構成の手書き入力機能を備えた情報端末装置１０の動作について説明する。
【００３０】
（第１実施形態）
図４は、前記情報端末装置１０の手書きの入力操作に応じた第１実施形態のガイド表示処理に伴う表示動作を示す図である。
【００３１】
図５は、前記情報端末装置１０の手書きの入力操作に応じた第１実施形態のガイド表示処理を示すフローチャートである。
【００３２】
情報端末装置１０が手書き入力モードに設定された状態で、図４に示すように、タブレット表示部１１の表示画面に対してユーザがペンＰを近付けた際に、タブレット１１ｔによりペンＰが接近したことが検出されると（ステップＳ１（Ｙｅｓ））、当該タブレット１１ｔから接近位置の座標（ｘ１，ｙ１）が取得されて入力座標データメモリ２６ｂに記憶される（ステップＳ２）。
【００３３】
すると、ガイド図データベース２２ｄ（図３参照）からガイド図（本実施形態ではガイド図Ｇ001［ひらがな，カタカナ，漢字用］）が読み出され（ステップＳ３）、前記ペンＰの表示画面に対する接近位置の座標（ｘ１，ｙ１）に当該ガイド図Ｇ001の基準座標（−５，−１０）が一致するところの同ガイド図Ｇ001の表示位置（例えば、ガイド図の原点を表示する座標）が計算される（ステップＳ４）。
【００３４】
そして、前記計算された表示位置に従って、前記読み出されたガイド図Ｇ001がタブレット表示部１１に表示される（ステップＳ５）。
【００３５】
すなわち、ペンＰがタブレット表示部１１に近づいてタブレット１１ｔにその接近位置が検出されると、当該検出された接近位置の座標（ｘ１，ｙ１）が最適な書き出し位置となるガイド図Ｇ001が表示される。そして、このガイド図Ｇ001は、前記ペンＰの表示画面に対するペンダウン（接触位置）が検出されない状態では（ステップＳ６（Ｎｏ））、同ペンＰの接近位置の座標（ｘ１，ｙ１）の移動に応じて表示画面に移動して表示されるので（ステップＳ１〜Ｓ５）、実際に文字を書き出す以前にその最適な書き始めの位置を確認することができる。
【００３６】
この後、表示画面に表示されるガイド図Ｇ001を参照しながらペンＰによる文字の書き込みを開始すると、書き込み開始と同時にタブレット表示部１１におけるペンＰの接触位置の座標が検出される（ステップＳ６（Ｙｅｓ））。
【００３７】
すると、前記タブレット表示部１１に対するガイド図Ｇ001の表示位置は固定され、前記検出されるペンＰの接触位置の移動の軌跡が描画されて表示される（ステップＳ７）。なお、ステップＳ６でペンＰの接触した位置の座標が検出された場合、前記タブレット表示部１１に対するガイド図Ｇ001の表示位置は固定し、一度ペンアップした後に検出されるペンＰの接触位置の移動の軌跡が描画されて表示されるとしてもよい。
【００３８】
そして、例えば手書き入力に伴う１文字内の途切れや文字間の途切れなどにより、一時的にペンＰの接触位置が検出されなくなっても、その状態が一定時間未満であって（ステップＳ８（Ｎｏ））、且つ再び検出されたペンＰの接近位置あるいは接触位置が前記ガイド図Ｇ001の表示された領域内である場合には（ステップＳ９（Ｙｅｓ））、当該再び検出されるペンＰの接触位置の移動の軌跡が描画されて表示される（ステップＳ７）。
【００３９】
また、前記ペンＰの接触位置が検出されなくなって一定時間以上経過したと判断された場合でも（ステップＳ８（Ｙｅｓ））、前記ガイド図Ｇ001に応じた一行の手書き入力が完了していない状態では（ステップＳ１０（Ｎｏ））、再び検出されるペンＰの接触位置の移動の軌跡がガイド図Ｇ001の領域内に描画されて表示される（ステップＳ７〜Ｓ９）。
【００４０】
なお、この第１実施形態のガイド図Ｇ001を構成するひらがな，カタカナ，漢字用の升目（図３参照）は、予め設定された数（例えば４個）の組み合わせとなるが、当該ガイド図Ｇ001に応じた手書き文字の入力に伴い、その最後（４個目）の升目の領域内にてペンＰの接触位置が検出された場合には、同一組の新たなガイド図Ｇ001がその大きさ［Ｘ＝○○○，Ｙ＝△△△］に基づき、現在表示中のガイド図Ｇ001の右端（末尾）に続けて表示され、一行分に相当する表示画面の右端から所定間隔手間に到達するまで繰り返される。
【００４１】
この後、前記ペンＰの接触位置が検出されなくなって一定時間以上経過したと判断された場合に（ステップＳ８（Ｙｅｓ））、前記ガイド図Ｇ001に応じた一行分の手書き入力が完了したと判断されると（ステップＳ１０（Ｙｅｓ））、該当する一行にここまで表示されたガイド図Ｇ001が消去される（ステップＳ１１）。なお、ステップＳ８で使用した一定時間より長い時間を設定し、その時間以上ペンアップした場合、手書き入力が終了したとして、ガイド図Ｇ001を消去するとしてもよい。
【００４２】
したがって、前記構成の手書き入力機能を備えた情報端末装置１０の第１実施形態のガイド表示処理によれば、ユーザはタブレット表示部１１に対するペンＰによる手書き入力の直前からその表示画面に表示されるガイド図Ｇ001に基づいて、手書きの文字をその書き始めから順次適切な位置に書き込んで描画させることができ、きれいに手書き文字を入力するための操作性を大幅に向上できる。
【００４３】
（第２実施形態）
図６は、前記情報端末装置１０の手書きの入力操作に応じた第２実施形態のガイド表示処理を示すフローチャートである。
【００４４】
この図６における第２実施形態のガイド処理を示すフローチャートにおいて、前記図５における第１実施形態のフローチャートと同一の処理ステップについては、同一のステップ符号を付してその説明を省略する。
【００４５】
図７は、前記情報端末装置１０の手書きの入力操作に応じた第２実施形態のガイド表示処理に伴う表示動作を示す図である。
【００４６】
この第２実施形態のガイド表示処理では、前記第１実施形態のガイド表示処理（ステップＳ１〜Ｓ１１）に加えて、手書き入力された文字の文字種を認識し、既に表示されたガイド図Ｇ001の文字種が認識された文字種と異なる場合は、認識された文字種用の新たなガイド図Ｇ002に切り換えて表示する処理（ステップＳ１０１〜Ｓ１０４）を追加する。
【００４７】
なお、この第２実施形態において、ペンＰの接近位置の座標（ｘ１，ｙ１）が検出されることによりガイド図データベース２２ｄから最初に読み出されて表示されるガイド図Ｇnは、ひらがな，カタカナ，漢字用のガイド図Ｇ001をデフォルトに設定する。
【００４８】
すなわち、図７（Ａ１）に示すように、ペンＰがタブレット表示部１１の表示画面に接近し、その接近位置の座標（ｘ１，ｙ１）が検出されると、当該接近位置の座標（ｘ１，ｙ１）に基づき、前記ガイド図データベース２２ｄからデフォルト設定された文字種（ひらがな，カタカナ，漢字）用のガイド図Ｇ001が読み出されて表示される（ステップＳ１〜５）。
【００４９】
そして、例えば図７（Ａ２）に示すように、ガイド図Ｇ001の先頭の升目に従い英字の手書き文字“ａ”が入力されて描画され（ステップＳ６〜Ｓ９）、次の升目へのペンＰの移動操作に伴い、当該ペンＰの接触位置の座標が一定時間以上検出されないと判断され（ステップＳ８（Ｙｅｓ））、さらに、ガイド図Ｇ001に応じた一行の手書き入力が完了していないと判断されると（ステップＳ１０（Ｎｏ））、前記描画された手書き文字“ａ”が文字認識される（ステップＳ１０１）。
【００５０】
すると、前記文字認識された手書き文字の文字種［英字］に応じて、ガイド図データベース２２ｄに記憶されている英字用のガイド図Ｇ002が読み出される（ステップＳ１０２）。
【００５１】
そして、前回のガイド表示処理（ステップＳ４，Ｓ５）にて表示された現在表示中のガイド図Ｇ001の表示位置に基づいて、前記ガイド図データベース２２ｄから新たに読み出された英字用のガイド図Ｇ002の表示位置が計算され（ステップＳ１０３）、図７（Ａ３）に示すように、現在のガイド図Ｇ001に替えて新たなガイド図Ｇ002が表示される（ステップＳ１０４）。
【００５２】
これにより、前記手書き入力され描画された英字“ａ”に引き続き、新たに表示された英字用のガイド図Ｇ002を参照して手書き入力される英字の手書き文字が、当該ガイド図Ｇ002の領域内に順次描画されて表示される（ステップＳ７〜Ｓ９）。
【００５３】
この後、前記ペンＰの接触位置が検出されなくなって一定時間以上経過したと判断された場合に（ステップＳ８（Ｙｅｓ））、前記ガイド図Ｇ002に応じた一行分の手書き入力が完了したと判断されると（ステップＳ１０（Ｙｅｓ））、該当する一行分のガイド図Ｇ002が消去される（ステップＳ１１）。
【００５４】
なお、前記図６で示した第２実施形態のガイド表示処理によれば、例えば図７（Ｂ１）（Ｂ２）に示すように、表示中のひらがな，カタカナ，漢字用のガイド図Ｇ001に応じて手書き入力された手書き文字“あ”の文字種［ひらがな］が当該ガイド図Ｇ001の文字種に対応していた場合、繰り返し同じガイド図Ｇ001が上書きされて表示されることになるが、このような場合には、前記ステップＳ１０２〜Ｓ１０４による新たなガイド図Ｇnへの切り替え処理を省略する構成してもよい。
【００５５】
したがって、前記構成の手書き入力機能を備えた情報端末装置１０の第２実施形態のガイド表示処理によれば、ユーザはタブレット表示部１１に対するペンＰによる手書き入力の直前からその表示画面に表示されるガイド図Ｇ001に基づいて、手書きの文字を書き始めから順次適切な位置に書き込んで描画させることができるだけでなく、実際に手書き入力された文字の文字種に応じて常時適切なガイド図Ｇ002を表示させることができ、様々な文字種において、きれいに手書き文字を入力するための操作性を大幅に向上できる。
【００５６】
（第３実施形態）
図８は、前記情報端末装置１０の手書きの入力操作に応じた第３実施形態のガイド表示処理に伴う表示動作を示す図である。
【００５７】
この第３実施形態のガイド表示処理では、ガイド図データベース２２ｄに記憶されるガイド図Ｇnを、例えば２文字分のガイド図Ｇ11，Ｇ12とし、当該ガイド図Ｇ11，Ｇ12に従った手書き文字が１文字ずつ入力されて認識される毎に、表示中のガイド図Ｇ11，Ｇ12に続けて次のガイド図Ｇ13，…を順次追加で表示させる構成とする。
【００５８】
これによれば、ユーザは手書き文字を入力しながらその入力位置に続けて延長表示されて行くガイド図Ｇn…を意識付けることができ、より効果的なガイド機能を持たせることができる。
【００５９】
（第４実施形態）
図９は、前記情報端末装置１０の手書きの入力操作に応じた第４実施形態のガイド表示処理に伴う表示動作を示す図である。
【００６０】
この第４実施形態のガイド表示処理では、ガイド図データベース２２ｄに記憶されるデフォルト表示用のガイド図Ｇnを、先頭１文字目用のガイド図Ｇ11に対して、右に横書き２文字目用のガイド図Ｇh1、下に縦書き２文字目用のガイド図Ｇv1を組み合わせたガイド図Ｇ11，Ｇh1，Ｇv1とする。
【００６１】
そして、図９（Ａ１）〜（Ａ３）に示すように、手書き文字が、前記横書き２文字目用のガイド図Ｇh1の領域に入力されて認識された場合には、前記縦書き２文字目用のガイド図Ｇv1を消去すると共に、当該ガイド図Ｇh1の右に続けて次のガイド図Ｇh2，…を順次追加で表示させ、また、図９（Ｂ１）〜（Ｂ３）に示すように、手書き文字が、前記縦書き２文字目用のガイド図Ｇv1の領域に入力されて認識された場合には、前記横書き２文字目用のガイド図Ｇh1を消去すると共に、当該ガイド図Ｇv1の下に続けて次のガイド図Ｇv2，…を順次追加で表示させる構成とする。
【００６２】
これによれば、ユーザは手書き文字を横書きしたい場合、又は縦書きしたい場合の何れに関わらず、その手書き文字を入力しながらその入力方向に続けて延長表示されて行くガイド図Ｇhn…又はガイド図Ｇvn…を意識付けることができ、より効果的且つ操作性の高いガイド機能を持たせることができる。
【００６３】
なお、前記実施形態では、手書き入力のためのガイド表示処理に用いるガイド図Ｇnとして、ひらがな，カタカナ，漢字用のガイド図Ｇ001、英字用のガイド図Ｇ002を具体例として説明したが、これらの文字種に限定されないのは勿論である。
【００６４】
前記各実施形態において記載した情報端末装置１０による各処理の手法およびデータベース、すなわち、図５のフローチャートに示す第１実施形態のガイド表示処理、図６のフローチャートに示す第２実施形態のガイド表示処理、図８の表示動作で示す第３実施形態のガイド表示処理、図９の表示動作で示す第４実施形態のガイド表示処理などの各手法および図３で示したガイド図データベース２２ｄなどのデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体（２３）に格納して配布することができる。そして、タブレット型の表示部（１１）を備えた各種情報端末装置（１０）のコンピュータ（２１）は、この外部記録媒体（２３）に記憶されたプログラムを記憶装置（２２）に読み込み、この読み込んだプログラムによって動作が制御されることにより、前記各実施形態において説明した手書き入力処理に伴うガイド表示機能を実現し、前述した手法による同様の処理を実行することができる。
【００６５】
また、前記各手法を実現するためのプログラムのデータは、プログラムコードの形態として通信ネットワーク上を伝送させることができ、このプログラムデータを、通信ネットワークに接続されたタブレット型の表示部（１１）を備えた各種情報端末装置（１０）のコンピュータ（２１）に取り込むことで、前記各実施形態において説明した手書き入力処理に伴うガイド表示機能を実現することもできる。
【００６６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６７】
以下に、本願出願の当初の特許請求の範囲に記載された発明を付記する。
【００６８】
［１］
表示部と、
この表示部の表示画面と一体にして設けられ、操作子の接近位置および接触位置を検出する位置検出手段と、
この位置検出手段により前記操作子の接近位置が検出された際に、当該検出された接近位置を基準に、前記表示部の表示画面に手書き入力のためのガイド図を表示させるガイド図表示手段と、
このガイド図表示手段によりガイド図が表示された状態で、前記位置検出手段により前記操作子の接触位置が検出された際に、当該検出された接触位置の軌跡を前記表示部の表示画面に表示させる手書き位置表示手段と、
を備えたことを特徴とする手書き入力装置。
【００６９】
［２］
前記手書き位置表示手段により表示された前記操作子の接触位置の軌跡を文字として認識する文字認識手段と、
この文字認識手段により認識された文字の文字種に応じて前記ガイド図表示手段により表示されたガイド図を新たなガイド図に切り替えて表示させるガイド図切り替え表示手段と、
を備えたことを特徴とする［１］に記載の手書き入力装置。
【００７０】
［３］
前記表示部の表示画面に表示されたガイド図の領域に前記手書き位置表示手段により前記操作子の接触位置の軌跡が表示されるのに応じて、当該ガイド図の表示位置に続けて同じガイド図を追加して表示させるガイド図追加表示手段を備えたことを特徴とする［１］または［２］に記載の手書き入力装置。
【００７１】
［４］
前記ガイド図表示手段は、先頭２文字分の横書き用ガイド図と縦書き用ガイド図とを組み合わせたガイド図を表示させ、
前記横書き用ガイド図の２文字目の領域に前記手書き位置表示手段により前記操作子の接触位置の軌跡が表示された場合は、前記縦書き用ガイド図の表示を消去させ、前記縦書き用ガイド図の２文字目の領域に前記手書き位置表示手段により前記操作子の接触位置の軌跡が表示された場合は、前記横書き用ガイド図の表示を消去させるガイド図選択手段を備えた
ことを特徴とする［１］ないし［３］の何れかに記載の手書き入力装置。
【００７２】
［５］
手書き入力が終了した際に、前記ガイド図を消去するガイド図消去手段を備えたことを特徴とする［１］ないし［４］の何れかに記載の手書き入力装置。
【００７３】
［６］
表示部と、この表示部の表示画面と一体にして設けられ、操作子の接近位置および接触位置を検出する位置検出手段とを備えた電子機器のコンピュータを制御するためのプログラムであって、
前記コンピュータを、
前記位置検出手段により前記操作子の接近した位置が検出された際に、当該検出された接近位置を基準に、前記表示部の表示画面に手書き入力のためのガイド図を表示させるガイド図表示手段、
このガイド図表示手段によりガイド図が表示された状態で、前記位置検出手段により前記操作子の接触位置が検出された際に、当該検出された接触位置の軌跡を前記表示部の表示画面に表示させる手書き位置表示手段、
として機能させるためのプログラム。
【符号の説明】
【００７４】
１０  …手書き入力機能を備えた情報端末装置
１１  …タブレット表示部
１１ｄ…カラー液晶表示画面
１１ｔ…タブレット
２１  …ＣＰＵ
２２  …記憶装置
２２ａ…端末制御プログラム
２２ｂ…ガイド表示プログラム
２２ｃ…文字認識プログラム
２２ｄ…ガイド図データベース
２３  …外部記録媒体
２４  …記録媒体読み取り部
２５  …通信部
２６  …ＲＡＭ
２６ａ…表示データメモリ
２６ｂ…入力座標データメモリ
Ｐ    …タブレット用のペン
Ｇ001，Ｇ002，Ｇ11，Ｇ12，Ｇh1，Ｇv1，…ガイド図
【図１】
0005849778.tif 000002
【図２】
0005849778.tif 000003
【図３】
0005849778.tif 000004
【図４】
0005849778.tif 000005
【図５】
0005849778.tif 000006
【図６】
0005849778.tif 000007
【図７】
0005849778.tif 000008
【図８】
0005849778.tif 000009
【図９】
0005849778.tif 000010